(57)【要約】  【課題】発光輝度を大きく低下させることなく、蓄光剤の使用量を低減できるようにする。  【解決手段】例えば本体部としての手摺り１のうち目視対象となる部位の表面に凹溝１ｂが形成されて、この凹溝１ｂ内に帯状に蓄光層６が配設される。蓄光層６の裏面に、その長手方向に延びる凹部７が形成される。凹溝１ｂの底面側に、凹部７内に隙間なく突出される凸部８が形成される。蓄光層６は、その断面形状が、幅方向において左右対称形状に形成するのが好ましい。蓄光層６の厚さは、最大厚さｔ１が２ｍｍ以下でかつ最小厚さが１ｍｍ以上とするのが好ましい。凸部８（のうち蓄光層６の裏面側に臨む面）を白色とするのが好ましい。【選択図】  図２
2019027260.tif 000002
【特許請求の範囲】
【請求項１】
本体部のうち目視対象となる部位の表面に形成された凹溝内に帯状に蓄光層を配設してなる蓄光層の配設構造であって、
前記蓄光層の裏面に、該蓄光層の長手方向に延びる凹部が形成され、
前記凹溝の底面側には、前記凹部に対応した形状を有して該凹部内に突出された凸部が形成されている、
ことを特徴とする蓄光層の配設構造。
【請求項２】
前記凸部が、前記本体部を構成する構成部材に一体成形されている、ことを特徴とする請求項１に記載の蓄光層の配設構造。
【請求項３】
前記凸部が、前記本体部を構成する構成部材とは別部材によって形成されている、ことを特徴とする請求項１に記載の蓄光層の配設構造。
【請求項４】
前記凹溝内に、底壁部と左右の側壁部とを有して内方側凹溝を構成する中間部材が配設され、
前記蓄光層が、前記内方側凹溝内に配設され、
前記凸部が、前記内方側凹溝の底面側に形成されている、
ことを特徴とする請求項１に記載の蓄光層の配設構造。
【請求項５】
前記蓄光層は、幅方向中央部が最小厚さとなるように前記凹部が形成され、
前記蓄光層の断面形状が、左右対称形状とされている、
ことを特徴とする請求項１ないし請求項４のいずれか１項に記載の蓄光層の配設構造。
【請求項６】
前記蓄光層の断面において、該蓄光層の裏面が、該蓄光層の幅方向中央部から幅方向各端に向かう２辺を有する形状とされている、ことを特徴とする請求項５に記載の蓄光層の配設構造。
【請求項７】
前記蓄光層の断面において、該蓄光層の裏面が、前記蓄光層の幅方向中央部と幅方向各端を通る円弧状とされている、ことを特徴とする請求項５に記載の蓄光層の配設構造。
【請求項８】
前記凹部が、前記蓄光層の幅方向に直列に複数の小凹部を連ねることにより形成されている、ことを特徴とする請求項１ないし請求項５のいずれか１項に記載の蓄光層の配設構造。
【請求項９】
前記本体部が、手摺りとされ、
前記蓄光層が、前記手摺りの長手方向に延びている、
ことを特徴とする請求項１ないし請求項８のいずれか１項に記載の蓄光層の配設構造。
【請求項１０】
前記本体部が、階段の段鼻に配設されて階段の横方向に延びる滑り止めとされ、
前記蓄光層が、前記滑り止めの長手方向に延びている、
ことを特徴とする請求項１ないし請求項８のいずれか１項に記載の蓄光層の配設構造。
【請求項１１】
前記本体部が、ストレッチャガードとされ、
前記蓄光層が、前記ストレッチャガードの長手方向に延びている、
ことを特徴とする請求項１ないし請求項８のいずれか１項に記載の蓄光層の配設構造。
【発明の詳細な説明】
【技術分野】
【０００１】
本発明は、蓄光層の配設構造に関するものである。
【背景技術】
【０００２】
夜間に発光される蓄光層を利用して、標識機能あるいは注意喚起機能を得ることが行われている。特許文献１には、手摺り（を構成する笠木）の表面に、手摺りの長手方向に沿って帯状に蓄光層を形成することにより、夜間において、手摺りそのものの位置を認識させることに加えて、手摺りの延びる方向さらには手摺り付近の状況を視認しやすくしたものが開示されている。特許文献２には、階段の段鼻に、階段の横方向に延びるように蓄光層を帯状に形成して、夜間において階段の踏み外しを防止するものが開示されている。
【先行技術文献】
【特許文献】
【０００３】
【特許文献１】特開平１１−１０７４７６号公報
【特許文献２】特開２０１３−２４９６４６号公報
【発明の概要】
【発明が解決しようとする課題】
【０００４】
蓄光層は、蓄光剤（蓄光顔料）と樹脂とを混合した蓄光樹脂の形態で使用されることが多いが、蓄光剤そのものが極めて高価である。このため、手摺り等に帯状に長く蓄光層を形成する場合に、使用する蓄光剤も多くなり、コストが飛躍的に増大することになる。また、蓄光剤の使用量を低減すると、コスト低減になるものの、その分発光輝度が低くなってしまうことになる。
【０００５】
本発明は以上のような事情を勘案してなされたもので、その目的は、発光輝度を大きく低下させることなく、蓄光剤の使用量を低減できるようにした蓄光層の配設構造を提供することにある。
【課題を解決するための手段】
【０００６】
前記目的を達成するため、本発明にあっては次のような解決手法を採択してある。すなわち、
本体部のうち目視対象となる部位の表面に形成された凹溝内に帯状に蓄光層を配設してなる蓄光層の配設構造であって、
前記蓄光層の裏面に、該蓄光層の長手方向に延びる凹部が形成され、
前記凹溝の底面側には、前記凹部に対応した形状を有して該凹部内に突出された凸部が形成されている、
ようにしてある。
【０００７】
上記解決手法によれば、蓄光層の裏面に凹部を形成することにより、蓄光剤の使用量を低減することができる。また、蓄光層に凹部を形成しない場合と遜色のない発光輝度を確保することができる。ちなみに、同量の蓄光剤を使用して、蓄光層を全体的に薄くしつつその裏面に凸部を形成する場合に比して、発光輝度を大きくすることができる。
【０００８】
上記解決手法を前提とした好ましい態様は、次のとおりである。
【０００９】
前記凸部が、前記本体部を構成する構成部材に一体成形されている、ようにすることができる。この場合、本体部を構成する構成部材を有効に利用して凸部を形成することができる。
【００１０】
前記凸部が、前記本体部を構成する構成部材とは別部材によって形成されている、ようにすることができる。この場合、本体部の構成部材そのものを極力簡単な構成とする上で好ましいものとなる。
【００１１】
前記凹溝内に、底壁部と左右の側壁部とを有して内方側凹溝を構成する中間部材が配設され、
前記蓄光層が、前記内方側凹溝内に配設され、
前記凸部が、前記内方側凹溝の底面側に形成されている、
ようにすることができる。この場合、凹溝を含めて蓄光層に関連する部分を全て中間部材に集約して、その取り扱いの容易化を図ることができ、また本体部を複雑化させないようにする上で好ましいものとなる。
【００１２】
前記蓄光層は、幅方向中央部が最小厚さとなるように前記凹部が形成され、
前記蓄光層の断面形状が、左右対称形状とされている、
ようにすることができる。この場合、蓄光層の幅方向の一端側と他端側とで発光輝度が大きく相違してしまう事態を防止する上で好ましいものとなる。
【００１３】
前記蓄光層の断面において、該蓄光層の裏面が、該蓄光層の幅方向中央部から幅方向各端に向かう２辺を有する形状とされている、ようにすることができる。この場合、凹部や凸部として、簡単形状となる好ましい形状とすることができる。
【００１４】
前記蓄光層の断面において、該蓄光層の裏面が、前記蓄光層の幅方向中央部と幅方向各端を通る円弧状とされている、ようにすることができる。この場合、凹部や凸部として、簡単形状となる好ましい形状とすることができる。
【００１５】
前記凹部が、前記蓄光層の幅方向に直列に複数の小凹部を連ねることにより形成されている、ようにすることができる。この場合、凹部を複数の小凹部の束として構成することにより、厚さが小さくなる部分を蓄光層の幅方向において分散させることができる。
【００１６】
前記本体部が、手摺りとされ、
前記蓄光層が、前記手摺りの長手方向に延びている、
ようにすることができる。この場合、夜間において、手摺りの位置やその延び方向を容易に視認することができ、また手摺りの周囲環境をも視認させる上で好ましいものとなる。
【００１７】
前記本体部が、階段の段鼻に配設されて階段の横方向に延びる滑り止めとされ、
前記蓄光層が、前記滑り止めの長手方向に延びている、
ようにすることができる。この場合、夜間において、踏み外しやすい階段の段鼻の位置を明確に視認させて、階段を踏みはずしてしまう事態を防止する上で好ましいものとなる。
【００１８】
前記本体部が、ストレッチャガードとされ、
前記蓄光層が、前記ストレッチャガードの長手方向に延びている、
ようにすることができる。この場合、夜間にストレッチャガードの位置を明確に視認させて、ストレッチャを不用意にストレッチャガードに当ててしまう事態を防止する上で好ましいものとなる。
【００１９】
前記凸部のうち少なくとも前記凹部に臨む側の面が白色とされている、ようにすることができる。この場合、発光輝度を大きくする上で好ましいものとなる。
【発明の効果】
【００２０】
本発明によれば、蓄光層の発光輝度を大きく低下させることなく、蓄光剤の使用量を低減することができる。
【図面の簡単な説明】
【００２１】
【図１】本発明を手摺りに適用した場合の例を示す斜視図。
【図２】図１のＸ２−Ｘ２線相当端面図。
【図３】図２の要部拡大断面図。
【図４】本発明の第２の実施形態を示すもので、図２に対応した端面図。
【図５】本発明の第３の実施形態を示すもので、図２に対応した端面図。
【図６】階段の段鼻に配設された滑り止めを示す簡略断面図。
【図７】本発明の第４の実施形態を示すもので、図６の示す滑り止めの要部平面図。
【図８】図７のＸ８−Ｘ８線相当断面図。
【図９】本発明の第５の実施形態を示すもので、図７に対応した平面図。
【図１０】図９のＸ１０−Ｘ１０線相当断面図。
【図１１】本発明の第６の実施形態を示すもので、図７に対応した平面図。
【図１２】図１１のＸ１２−Ｘ１２線相当断面図。
【図１３】本発明の第７の実施形態を示すもので、図１２に対応した断面図。
【図１４】本発明の第８の実施形態を示すもので、ストレッチャガードに本発明を適用した例を示す断面図。
【図１５】蓄光層の断面形状の変形例を示す図。
【図１６】蓄光層の断面形状の変形例を示す図。
【図１７】蓄光層の断面形状の変形例を示す図。
【図１８】蓄光層の断面形状の変形例を示す図。
【図１９】蓄光層の断面形状の変形例を示す図。
【図２０】３種類の試験用蓄光層の断面形状を示す図。
【発明を実施するための形態】
【００２２】
図１〜図３は、本発明を手摺り１に適用した場合の一例を示すものである。図２に示すように、手摺り１は、金属製の笠木受け２を有する。この笠木受け２が、笠木３により被覆されている。笠木３は、内部層４と、内部層４を被覆する薄い表皮層５とによって構成されて、内部層４と表皮層５とはそれぞれ合成樹脂によって形成されている。手摺り１は、その下面に、笠木受け２内に連通する開口部１ａを有する。このような手摺り１は、紙面直角方向に長く伸びている。
【００２３】
取付ブラケット９（図１参照）の先端部が、笠木受け２に嵌合される一方、取付ブラケット９の基端部が壁面等の取付面に固定される。なお、取付ブラケット９の中間部には細幅部位が形成されて、この細幅部位が上記開口部１ａを通過される。
【００２４】
手摺り１の表面のうち、目視され易い上面には、凹溝１ｂが形成されている。この凹溝１ｂは、手摺り１の長手方向全長に渡って長く伸びている。凹溝１ｂの深さは、表皮層５を超えて内部層４にまで達しているが、その最大深さは、実施形態では１ｍｍ〜３ｍｍとされている。
【００２５】
凹溝１ｂには、その全長に渡って、蓄光層６が配設されている。蓄光層６は、実施形態では、その表面（目視される外面）が表皮層５と面一となるようにされている。また、蓄光層６は、蓄光剤（蓄光顔料）を混合した合成樹脂により形成されている。
【００２６】
蓄光層６およびその周囲の詳細について、図２を参照しつつ説明する。まず、蓄光層６の裏面に凹部７が形成されている。この凹部７に対応して、内部層４には、凸部８が一体成形されている（凹溝１ｂの底面が凸部８として形成されている）。凹部７および凸部８は、それぞれ凹溝１ｂの全長に渡って延びている。凸部８は、凹部７内に突出されている。そして、凸部８は、凹部７に対応した形状とされて、蓄光層６の裏面に対して密着されている。
【００２７】
実施形態では、凹部７（凸部８）の断面形状は、実質的に三角形状とされている。すなわち、蓄光層６の裏面のうち、幅方向の中央部が符号６ａで示され、各幅方向端が符号６ｂ、６ｃで示される。そして、蓄光層６の厚さは、各端６ｂ、６ｃが最大厚さｔ１とされ、中央部６ａが最小厚さｔ２とされている。このように、蓄光層６は、中央部６ａから各端６ｂ、６ｃに向かって徐々に厚く（実施形態では線形的に厚く）なるように形成されている。換言すれば、凹部７の断面形状が、中央部６ａを境として左右対称な二等辺三角形状とされている。凸部８は、凹部７に対応した形状とされている
凸部８は内部層４に一体成形されている。そして、内部層４は、全体的に白色の合成樹脂によって形成されて、少なくとも蓄光層６の裏面に臨む面が白色となるようにされている。実施形態では、内部層４と表皮層５と蓄光層６とが、押し出し成形によって一体成形されている。なお、蓄光層６を、後付けで凹溝１ｂ内に取付けるようにしてもよい（例えば接着材や両面テープの使用で、接着材や両面テープとして透明または白色のものを用いるのが好ましい）。
【００２８】
蓄光層６は、昼間に蓄光し、夜間になると発光する。特に、夜間での発光により、手摺り１の位置や延び方向が明確に認識（視認）されると共に、その周囲が少なからず明るくなることによって周囲環境についての視認性を向上させる。
【００２９】
ここで、蓄光層６の断面形状が、幅方向中央部６ａを境にして左右対称となっている。このことは、発光輝度が幅方向一端側と他端側とで大きく相違してしまうという事態を防止して、幅方向全長に渡って極力均一な発光輝度を得る上で好ましいものとなる。
【００３０】
蓄光層６の最大厚さｔ１は１ｍｍ〜３ｍｍとされている。また、発光輝度を大きくするために、蓄光層６の最大厚さｔ１は、最小厚さｔ２の１．２倍以上とするのが好ましい。なお、最小厚さｔ２は少なくとも０．５ｍｍ〜１．５ｍｍ確保するのが好ましい。蓄光層６の最小厚さｔ２が小さ過ぎると、最小厚さ部分を連続させてなる筋状模様が外観から目視（透視）されやすいことになるが、最小厚さを少なくとも０．５ｍｍ〜１．５ｍｍ確保することにより、上記のような外観上の問題も生じないことになる。
【００３１】
蓄光層６の裏面が白色面（白色とされた凸部８）に臨んでいるため、白色以外の色に臨む場合に比して、発光輝度を十分に高めることができる。
【００３２】
図４は、本発明の第２の実施形態を示すものである。本実施形態は、図２の変形例となるもので、図２に示す構成要素と実質的に同一の構成要素には同一符号を付してその重複した説明は省略する。また、以下の実施形態では全て、理解の容易化のために、蓄光層の裏面に形成される凹部を符号７で示し、凹部７に隙間なく嵌合される凸部を符号８で示すこととする。
【００３３】
図４に示す手摺り１０は、図１における凸部８を、手摺り１０の構成部材となる内部層４とは別個独立した中間部材１１で構成してある。すなわち、図１における凹溝１ｂに相当する凹溝１０ｂの底面を平坦面として形成する一方、図１における凸部８を、中間部材１１で構成するようにしてある。すなわち、中間部材１１の断面形状が、蓄光層６の裏面に形成された凹部７内に隙間なく突出される二等辺三角形状として形成されている。そして、中間部材１１は、白色の合成樹脂によって形成されている。
【００３４】
実施形態では、内部層４、表皮層５、蓄光層６、中間部材１１を、押し出し成形によって同時成形するようにしてある。なお、蓄光層６と中間部材１１とをあらかじめ一体化して、この一体化物を後付けで凹溝１０ｂ内に取付けるようにしてもよい。また、中間部材１１を凹溝１０ｂ内に取付けた後に、蓄光層６を凹溝１０ｂ内に取付けるようにしてもよい。上記の後付けは、前述したように、接着材あるいは両面テープを用いて行うことができる。
【００３５】
図５は、本発明の第３の実施形態を示すものである。本実施形態は、図２の変形例となるもので、図２に示す構成要素と実質的に同一の構成要素には同一符号を付してその重複した説明は省略する。
【００３６】
図５に示す手摺り２０は、笠木受け２に相当する芯部材２１が、例えばステンレス製の円筒部材によって形成されている。これに伴い、内部層４、表皮層５も円筒状とされて、図１における開口部１ａを有しない形状とされている。図５に示す手摺り２０は、特に、比較的短尺とされて、その両端部においてのみ取付ブラケットが嵌合される場合に好適である。凹溝２０ｂが、図１における凹溝１ｂに対応するものであり、蓄光層６、凹部７、凸部８は、図１の場合と同様に構成されている。
【００３７】
図６〜図８は、本発明の第４の実施形態を示すものであり、階段の滑り止め部材３０に本発明を適用した場合を示す。すなわち、図６において、水平な踏み面３１と上下方向に延びる縦壁面（段差面）３２との境界部位となる段鼻３３に対して、断面Ｌ字状の滑り止め部材３０が固定される。滑り止め部材３０は、階段の横方向（図８紙面直角方向）ほぼ全長に渡って細長く延びている。
【００３８】
図７、図８において、滑り止め部材３０は、金属板を曲げ加工することにより断面Ｌ字状の金台３５を有し、金台３５のうち、踏み面３１上に載置、固定される水平な横面部が符号３５Ａで示され、水平部３５Ａの先端部から下方へ短く延びる縦面部が符号３５Ｂで示される。金台３５は、横面部３５Ａの前端位置において上方へ短く延びる前フランジ部３６を有し、横面部３５Ａの後端位置において上方へ短く延びる後フランジ部３７を有する。
【００３９】
横面部３５Ａ上には、縦面部３５Ｂに近い側において、アルミ板からなる敷板３８を介して、滑り止めとなるビニルタイヤ３９が固定されている。ビニルタイヤ３９は、厚板状の本体部３９Ａと、本体部３９Ａの上面に突設された多数の突起部３９Ｂとを有している。そして、本体部３９Ａの前端が、前フランジ部３６に当接されている。
【００４０】
ビニルタイヤ３９と後フランジ部３７との間に、図８の紙面直角方向に延びる凹溝４０が形成されている（図１における凹溝１ａ対応）。後フランジ部３７の上端高さ位置は、ビニルタイヤ３９の本体部３９Ａの厚さよりも若干低くされている。
【００４１】
上記凹溝４０内には、下方から上方へ順次、アルミ板からなる敷板４１、中間部材４２、蓄光層４３が配設されている。中間部材４２は図４における中間部材１１に対応し、蓄光層４３は図４における蓄光層６に対応して実質的に同様な構造とされているので、その詳細な説明は省略する。
【００４２】
蓄光層４３と合成樹脂からなる中間部材４２とはあらかじめ一体成形（例えば押し出し成形）されており、この一体成形品が、敷板４１上に例えば接着材あるいは両面テープにより固定されている。そして、蓄光層４３と中間部材４２とが固定された敷板４１が、接着材あるいは両面テープによって、凹溝４０の底面（横面部３５Ａ）に固定されている。蓄光層４３の上面は、フランジ部３７と同一高さ位置とされている。
【００４３】
蓄光層４３の裏面には凹部７が形成されている。中間部材４２は、上記凹部７に隙間なく突出される凸部を構成しており、また白色の合成樹脂によって形成されている。
【００４４】
なお、蓄光層４３の上面は、ビニルタイヤ３９の本体部３９Ａの上面よりも若干低くされている。また、ビニルタイヤ３９の幅（図８左右方向長さ）よりも蓄光層４３（凹溝４０）の幅が小さくされている。これにより、階段を利用する者は、もっぱらビニルタイヤ３９を踏んで、蓄光層４３が踏まれてしまう機会が減少される。
【００４５】
夜間に階段を利用する者は、蓄光層４３が発光されることによって、段鼻３３の位置を明確に視認することができ、足を踏み外してしまう事態が防止あるいは抑制される。
【００４６】
図９、図１０は、本発明の第５の実施形態を示すものである。本実施形態は、図７、図８の変形例となるもので、図７、図８に示す構成要素と実質的に同一の構成要素には同一符号を付してその重複した説明は省略する。
【００４７】
本実施形態における階段の滑り止め部材５０は、金台３５の横面部３５Ａ上に、前後のフランジ部３６、３７の間において、中間フランジ部５１をさらに有している。中間フランジ部５１よりも前端側にビニルタイヤ３９が配設され、中間フランジ部５１よりも後端側に蓄光層４３が配設されている。なお、金台３５は、アルミニウム合金を押し出し成形することによって形成してある。
【００４８】
本実施形態では、後フランジ部３７と中間フランジ部５１との間に、凹溝５２が形成されている。この凹溝５２内には、アルミ板からなる中間部材５３が配設されている。中間部材５３は、底壁部と左右の側壁部とを有して、その内部に内側凹溝５４を形成している。そして、内側凹溝５４内に蓄光層４３が配設されている。蓄光層４３の裏面に凹部７が形成されている。そして、中間部材５３は図４における中間部材１１に対応していて、凹部５６内に隙間なく突出される凸部８を有している。
【００４９】
中間部材５３の内側凹溝５４内にあらかじめ蓄光層７が配設された状態で、中間部材５３が、接着材あるいは両面テープによって金台３５（の横面部３５Ａ）に固定される。
【００５０】
中間部材５３の前側底部には、前方に短く延びる係止突起部５３ｂが形成されている。また、凹溝５４には、中間フランジ部５１の底部に相当する位置において、係止溝５４ａが形成されている。そして、係止突起部５３ｂが、係止溝５４ａに嵌合されている（中間部材５３の凹溝５４からの抜け止め）。
【００５１】
図１１、図１２は、本発明の第６の実施形態を示すものであり、階段の滑り止め部材の変形例となる。本実施形態における滑り止め部材６０は、金台３５が、例えばステンレス板を曲げ加工することにより形成されて、前後一対のフランジ部３６、３７を有する。そして、ビニルタイヤ３９が、前後フランジ部３６と３７によって挟持されるように配設されている。
【００５２】
ビニルタイヤ３９の上面には、滑り止め用の突起部（図８における突起部３９Ｂ対応）を有しないものとなっている。そして、ビニルタイヤ３９の上面には、前後方向（図１２左右方向）に間隔をあけて、２組の凹溝６１（図８の凹溝４０対応）が形成されている。各凹溝６１内に、蓄光層６２（図８の蓄光層４３対応）が配設されている。蓄光層６２の裏面には凹部７が形成されている。また、凹溝６１の底面には、凹部７に隙間なく突出される凸部８が形成されている。凸部８の上面（凹部７に臨む面）は、白色に塗装されている。また、  蓄光層６２の上面は、ビニルタイヤ３９の上面よりも若干低い位置となるように設定されている（蓄光層６２が直接踏まれることの防止あるいは抑制）。
【００５３】
図１３は、本発明の第７の実施形態を示すものであり、図１２の変形例となっている。本実施形態における滑り止め部材７０は、図１２における凸部８を、蓄光層６２の下方に配設した中間部材４２によって形成するようにしてある。
【００５４】
図１４は、本発明の第８の実施形態を示すものであり、通路の壁面に水平方向に伸ばして固定されるストレッチャガード８０に本発明を適用したものとなっている。ストレッチャガード８０は、壁面８１に固定具８２によって固定された笠木受け８３と、笠木受け８３に嵌合形式によって保持された笠木８４と、を有する。
【００５５】
笠木８４の表面には、その上下方向略中間部に、凹溝８５（図４における凹溝１０ｂ対応）が形成されている。この凹溝８５内に、中間部材８６（図４における中間部材１１対応）とこれを覆う蓄光層８７とが配設されている。蓄光層８７の裏面には凹部７が形成される一方、中間部材８６は、凹部７に隙間なく突出される凸部８を構成している。蓄光層８７は、笠木８４の表面から引っ込んだ状態とされて、ストレッチャが蓄光層８７に接触するのが防止あるいは抑制される。
【００５６】
図１５〜図１９は、それぞれ、本発明で採択し得る蓄光層の断面形状の設定例を示し、その裏面に形成される凹部の形状（形態）を相違させたものとなっている。なお、各例共にそれぞれ、蓄光層の断面形状は左右対称（ほぼ左右対称の場合を含む）となるように形成されている。
【００５７】
まず、図１５に示す蓄光層１３０は、その凹部１３１が、幅方向中央部と各端とを結ぶ２つの円弧状の線を有して、各円弧状の線が、蓄光層１３０の裏面側に向けて凸となるように形成されている（図２の変形例とも言える）。
【００５８】
図１６に示す蓄光層１１０は、その裏面に形成された１つの凹部１１１が、幅方向中央部と幅方向各端とを通る１つの円弧（で規定される形状）を形成する形状としてある（劣弧で規定される弓形形状とするのが好ましい）。
【００５９】
図１７に示す蓄光層９０は、実線で示すように、その裏面に、幅方向直列に小凹部９１を２個形成したものとなっている。各小凹部９１は、断面二等辺三角形状とされているが、その頂角が鈍角となるように設定するのが好ましい。なお、図１７一点鎖線は、小凹部９１を３個とした場合を示すものであるが、小凹部９１の数は、４以上とすることもできる。各小凹部９１は、その最小厚さ部分から幅方向に離間するにつれて、徐々に厚くなるように形成されている（このことは、以下の図１８に示す実施形態での小凹部においても同じ）。
【００６０】
図１８に示す蓄光層１００は、実線で示すように、図１７の場合に比して、２つの小凹部１０１を円弧（劣弧とするのが好ましい）で規定される弓形形状としてある。なお、図１８一点鎖線は、小凹部１０１を３個とした場合を示すものであるが、小凹部１０１の数は、４以上とすることもできる。
【００６１】
図１９に示す蓄光層１２０は、その凹部１２１が、図１６に示すのと同様の円弧に対して細かい「ぎざぎざ」を付したものとなっている。このような細かい「ぎざぎざ」は、前述した各実施形態（あるいは変形例）にも同様に適用することができる。細かい「ぎざぎざ」を形成することは、蓄光剤の使用量をより低減する上で好ましいものとなり、また蓄光層とその裏面側に配設される他の部材とを一体成形する際に、蓄光層と他の部材との結合強度を高める上で好ましいものとなる。
【００６２】
次に、図２０を参照しつつ、蓄光層の断面形状を相違させたときの発光輝度の相違について説明する。図２０において、Ｓ３として示すものが本発明例（図２、図３に対応した蓄光層７）の場合を示す。Ｓ１、Ｓ２はそれぞれ参考例となるものである。参考例Ｓ１は、凹部７を有しないで、その厚さが、蓄光層の幅方向全長に渡って均一（厚さ２ｍｍ）な場合を示す。また、参考例Ｓ２は、本発明の場合とは逆に、蓄光層の裏面に凸部（凹部７を上下逆にした形状）を形成した場合である。そして、参考例Ｓ２および本発明例Ｓ３における最大厚さをそれぞれ、参考例１の厚さと同様に設定してある。
【００６３】
参考例Ｓ１、Ｓ２、本発明Ｓ３の場合共に、蓄光層を構成する材質等（使用する樹脂や蓄光剤の種類、および蓄光剤の含有割合）は互いに等しくしてある。そして、参考例１はもっとも蓄光剤に使用量が多くなる態様であり、参考例Ｓ２と本発明例Ｓ３とは蓄光剤の使用量が互いに等しい関係とされる一方、参考例１に比して２５％程度蓄光層の使用量が低減されたものとされている。
【００６４】
各例Ｓ１〜Ｓ３について、標準光源ｄ６５、照射照度２００ルクス、照射時間２０分で蓄光させた後、周囲を暗くして、そのときからの時間経過と発光輝度の変化とを計測した。計測開始から２０分経過時点および６０分経過時点において、本発明例Ｓ３の場合は、参考例Ｓ１の場合に比して発光輝度の点で若干劣るものの目標とするレベルを確保することができる一方、参考例Ｓ２の場合よりも発光輝度の点で優れたものである、ということが確認された。帯状の蓄光層の幅方向において、幅方向端部が厚い方が、幅方向端部が薄い場合よりも、外部に向けての発光がより効果的に行われるためと思われる。
【００６５】
以上実施形態について説明したが、本発明は、実施形態に限定されるものではなく、特許請求の範囲の記載された範囲において適宜の変更が可能である。本発明が適用される本体部としては、手摺り、階段用の滑り止め、ストレッチャガード等に限らず、各種の建材や建材以外の部材に対しても適用することができる。また、帯状に延びる蓄光層は、直線状に限らず、緩やかな円弧状に延びる等、延び方向での形状は適宜選択できる。本体部の長手方向において、それぞれ帯状に延びる複数の蓄光層を所定間隔毎に配設するようにしてもよい。勿論、本発明の目的は、明記されたものに限らず、実質的に好ましいあるいは利点として表現されたものを提供することをも暗黙的に含むものである。
【産業上の利用可能性】
【００６６】
本発明は、手摺り等に蓄光層を設ける場合に好適である。
【符号の説明】
【００６７】
１：手摺り（図１で、本体部）
１ｂ：凹溝
２：笠木受け
３：笠木
４：内部層
５：表皮層
６：蓄光層
７：凹部
８：凸部
１０：手摺り（図４で、本体部）
１０ｂ：凹溝
１１：中間部材（凸部を構成）
２０：手摺り（図５で、本体部）
２０ｂ：凹溝
３０：階段用の滑り止め（図６〜図８で、本体部）
３５：金台
４０：凹溝
４２：中間部材（凸部構成）
４３：蓄光層
５０：階段用の滑り止め（図９、図１０で、本体部）
５２：凹溝
５３：中間部材（内側凹溝と凸部を構成）
５４：内側凹溝
６０：階段用の滑り止め（図１１、図１２で、本体部）
６１：凹溝
６２：蓄光層
７０：階段用の滑り止め（図１３で、本体部）
８０：ストレッチャガード（図１４で、本体部）
８４：笠木
８５：凹溝
８７：蓄光層
８６：中間部材（凸部を構成）
９０：蓄光層（図１５）
９１：小凹部
１００：蓄光層（図１６）
１０１：小凹部
１１０：蓄光層（図１７）
１１１：凹部
１２０：蓄光層（図１８）
１２１：凹部
１３０：蓄光層（図１９）
１３１：凹部
【図１】
2019027260.tif 000003
【図２】
2019027260.tif 000004
【図３】
2019027260.tif 000005
【図４】
2019027260.tif 000006
【図５】
2019027260.tif 000007
【図６】
2019027260.tif 000008
【図７】
2019027260.tif 000009
【図８】
2019027260.tif 000010
【図９】
2019027260.tif 000011
【図１０】
2019027260.tif 000012
【図１１】
2019027260.tif 000013
【図１２】
2019027260.tif 000014
【図１３】
2019027260.tif 000015
【図１４】
2019027260.tif 000016
【図１５】
2019027260.tif 000017
【図１６】
2019027260.tif 000018
【図１７】
2019027260.tif 000019
【図１８】
2019027260.tif 000020
【図１９】
2019027260.tif 000021
【図２０】
2019027260.tif 000022